(57)【要約】ＴＤＭネットワークへの接続およびアクセスを行うリモートスイッチを提供する。非ＴＤＭネットワークでの通信を有効化する種々のコンポーネントの制御のために構成された非ＴＤＭネットワーク専属のスイッチ（１０４）と、ＴＤＭネットワークへ接続するリモートアクセスゲートウェイ（１０６ａ〜１０６ｃ）とが設けられている。スイッチ（１０４）はアクセスゲートウェイ（１０６ａ〜１０６ｃ）のコネクションを介してＴＤＭネットワークへアクセスする。
2006517755.tif 000002
【特許請求の範囲】
【請求項１】
非ＴＤＭネットワークでの通信を有効化する種々のコンポーネントの制御のために構成された非ＴＤＭネットワーク専属のスイッチと、ＴＤＭネットワークへのコネクションを有するリモート位置のアクセスゲートウェイとが設けられており、
スイッチはアクセスゲートウェイのコネクションを介してＴＤＭネットワークへアクセスする
ことを特徴とするＴＤＭネットワークへの接続およびアクセスを行うリモートスイッチ。
【請求項２】
前記スイッチは非ＴＤＭネットワークのコールサービスおよびケイパビリティを提供する、請求項１記載のスイッチ。
【請求項３】
前記スイッチはＩＰスイッチである、請求項１記載のスイッチ。
【請求項４】
前記スイッチはイーサネットとＬＡＰＤとのあいだの通信適合化を行うプロセッサを含む、請求項１記載のスイッチ。
【請求項５】
前記プロセッサはＮＳＰ‐ＬＴＧメッセージのトランスポートを管理する、請求項１記載のスイッチ。
【請求項６】
前記アクセスゲートウェイは少なくとも１つのＬＴＧを含む、請求項１記載のスイッチ。
【請求項７】
前記アクセスゲートウェイはＲＴＩを含む、請求項１記載のスイッチ。
【請求項８】
前記アクセスゲートウェイはＤＬＵを含む、請求項１記載のスイッチ。
【請求項９】
さらにユーザとスイッチとをつなぐユーザインタフェースを含む、請求項１記載のスイッチ。
【請求項１０】
さらに呼のインタセプトおよび法律促進オペレータへの呼の転送を行う法定インタセプトプロセッサを含む、請求項１記載のスイッチ。
【請求項１１】
非ＴＤＭネットワークでの通信を有効化する種々のコンポーネントの制御部を設け、
コネクションを介してＴＤＭネットワークへアクセスし、
スイッチによりアクセスゲートウェイのコネクションを介してＴＤＭネットワークへアクセスする
ことを特徴とするＴＤＭネットワークへの接続およびアクセスを行う方法。
【請求項１２】
さらに非ＴＤＭネットワークのコールサービスおよびケイパビリティを提供する、請求項１１記載の方法。
【請求項１３】
前記スイッチはＩＰスイッチである、請求項１１記載の方法。
【請求項１４】
さらにイーサネットとＬＡＰＤとのあいだの適合化を行う、請求項１１記載の方法。
【請求項１５】
さらにＮＳＰ‐ＬＴＧメッセージのトランスポートを管理する、請求項１１記載の方法。
【請求項１６】
さらにユーザとスイッチとをつなぐインタフェースを設ける、請求項１１記載の方法。
【請求項１７】
さらに呼のインタセプトと法律促進オペレータへの呼の転送とを行う、請求項１１記載の方法。
【発明の詳細な説明】
【技術分野】
【０００１】
発明の属する技術分野
本発明は１つまたは複数の専属スイッチをリモートゲートウェイを介して制御するローカルスイッチ、すなわちローカルソフトウェアスイッチ（ソフトスイッチ）に関する。このスイッチは通信網のＴＤＭリンクを介して１つまたは複数のリモートのアクセスゲートウェイを制御する。
【０００２】
関連情報
次世代ネットワークＮＧＮはこれまでの旧い時分割多重方式ＴＤＭの通信網に徐々に置き換わろうとしている。ＮＧＮはほぼ全ての点で旧い手法より優れているが、広汎に受け入れられるにはいまだ問題がある。その主たる原因の１つはＴＤＭが所定の地域を通して物理的に統合された固定網であることである。このネットワークをアップグレードによって置換しようとすれば、どれだけ技術的に優れていても大きな費用と手間とがかかる。通常こうしたネットワークを支えるローカルキャリアはこうした点を向上させるための労力を払いたがらず、どちらかといえば運営上の理由から旧い技術に固執しがちである。
【０００３】
ＮＧＮのインプリメンテーションを促進するために、Siemens社などの企業はその技術をレガシーシステムとの統合のために調整しようとしている。例えばSiemens社はＤＣＯネットワークをＥＷＳＤ（ＴＭ）システムへ変換し、ＤＣＯからラインアクセス装置を省略することに成功している。
【０００４】
ただしＥＷＳＤ変換のソリューションはレガシーシステムがＴＤＭネットワークである状況には完全には適さない。このためカスタマはＮＧＮのような外観および印象を与えるサブスタンダードのＴＤＭソリューションを統合してきたが、これはＥＷＳＤの提供するＮＧＮのケイパビリティおよびサービスの全範囲をカバーしてはいない。典型的にはフットプリント、ギガビットバックプレーン、ＡＴＭ／ＩＰインタフェースなどがＥＷＳＤよりも小さい。
【０００５】
したがってＮＧＮのケイパビリティおよびサービスとレガシーＴＤＭネットワークとを統合するソリューションが望まれる。現在のところスマートリモートまたは既存のＴＤＭ加入者機を制御するソフトウェアスイッチは存在しない。
【０００６】
本発明の課題および概要
本発明の第１の課題はＮＧＮのケイパビリティおよびサービスとレガシーＴＤＭネットワークとを統合することである。本発明の第２の課題はレガシーＴＤＭネットワークを統合しようとするカスタマの要求に応えることである。本発明の第３の課題はＩＯＣ市場での“シード”パケットスイッチのソリューションを提供することである。本発明の第４の課題はＮＧＮの周知および浸透を図ることである。本発明の第５の課題はパケットローカルスイッチにしたがう新たな移行ストラテジを提供することである。
【０００７】
本発明では、ＴＤＭネットワークへのコネクションおよびアクセスを行うリモートスイッチを提供する。非ＴＤＭネットワークでの通信を有効化する種々のコンポーネントの制御のために構成された非ＴＤＭネットワーク専属のスイッチと、ＴＤＭネットワークへ接続するリモートアクセスゲートウェイとが設けられている。スイッチはアクセスゲートウェイのコネクションを介してＴＤＭネットワークへアクセスする。
【０００８】
リモートスイッチは、ＮＧＮへのレガシーケイパビリティおよびサービスの向上を主たる目的とするローカルソフトウェアスイッチによって実現することができる。
【０００９】
図面の簡単な説明
以下に図示の本発明の実施例を説明する。図１Ａには本発明のシステムが示されている。図１Ｂには本発明のスイッチが示されている。図２Ａには本発明のリモートアクセスゲートウェイが示されている。図２Ｂには動作中の本発明のリモートアクセスゲートウェイが示されている。図３Ａ，図３Ｂには本発明のリモートアクセスゲートウェイおよびリモートスイッチの動作が示されている。図３Ｃには本発明のリモートスイッチおよびリモートアクセスゲートウェイのシグナリングが示されている。
【００１０】
有利な実施例の説明
ＴＤＭへの接続を行う１つの手段として、大きな費用のかかるメディアゲートウェイＭＧを介してソフトスイッチをＴＤＭ加入者機へブリッジすることが挙げられる。しかしコストの大きさはカスタマがアップグレードを躊躇する第１の重大な理由である。このため、メディアゲートウェイＭＧの使用は前述の課題の解決手段とはなり得ない。
【００１１】
本発明は通信網のＴＤＭリンクを介して１つまたは複数のリモートアクセスゲートウェイを制御するローカルソフトウェアスイッチを提供する。図１Ａから見て取れるように、本発明の通信システム１００は、呼制御を行うソフトスイッチ１０４を有するローカルソフトウェアスイッチ１０２と、音声アクセスおよび他のケイパビリティおよびサービスを行う１つまたは複数のアクセスゲートウェイ１０６ａ〜１０６ｃとから成る。
【００１２】
図１には分散型アーキテクチャに基づいてＴＤＭだけでなく種々のタイプの加入者機をサポートする本発明のシステムが示されている。ここでは例えば信号転送ポイントＳＴＰ１０８を介してコールセンタＥＷＳＤ１１０へのコネクションが形成され、ＳＳ７の加入者機１１２ａまたはＰＢＸまたはＲＤＴ１１４ａへのアクセスが行われる。またアクセスゲートウェイ１０６ｂ，１０６ｃを介してアクセスタンデムまたはＥＡＳタンデムの加入者機へアクセスするコネクションが形成され、加入者電話機１１２ｂ〜１１２ｄまたはＰＢＸまたはＲＤＴ１１４ｃ，１１４ｄへのアクセスもサポートされる。ＡＣＰインタフェーストランク１１８ａ〜１１８ｃはアクセスゲートウェイ１０６ａ〜１０６ｃへの接続を行う。
【００１３】
スイッチ１０４はアクセス装置、メディアゲートウェイおよびリソースサーバの制御を行い、種々のネットワーク要素内に存在するネットワークインテリジェンスを調整するように構成されている。このスイッチは付加的にマルチプロトコルシグナリングゲートウェイの機能を有する。スイッチ１０４の例が図１Ｂに示されており、ここではソフトスイッチの機能を分配して割り当てるモジュラアーキテクチャが使用されている。
【００１４】
スイッチの心臓部は呼制御を処理するコールフィーチャサーバ１２０であり、これには呼信号処理、呼の確立、サービスデリバリ（例えばインタネットとのインタワーキング）および関連するマネジメント（例えば料金データの収集）などが含まれる。コールフィーチャサーバは従来の音声ネットワークの全てのフィーチャを提供することにより、ＮＧＮサービスのプラットフォームを供給する。
【００１５】
パケットマネージャ１２２は音声コネクションまたはマルチメディアコネクションに対する高性能の制御を行う。パケットマネージャ１２２のタスクはＭＧＣＰまたはＭＥＧＡＣＯ／Ｈ．２４８プロトコルを介してメディアゲートウェイのメディアリソースを管理することにより、ＰＳＴＮとＩＰベースのネットワークとのあいだの適切なインタワーキングを保証することである。またパケットマネージャはＨ．３２３ユーザおよびＳＩＰユーザに対するシグナリングの終端を担う。こうしてＨ．３２３／ＳＩＰ加入者はスイッチのフィーチャおよび呼制御にアクセスすることができるようになる。ＰＳＴＮにおける全ての既存の音声フィーチャは周知のＨ．３２３、ＳＩＰ、ＭＧＣＰまたはＭＥＧＡＣＯプロトコルを用いてＮＧＮへ移行される。
【００１６】
ＳＳ７のシグナリングゲートウェイ１２４はＳＣＴＰ／ＩＰ，古典的なＴＤＭコネクションおよびＡＴＭ高速シグナリングリンクを介して送信されたＳＳ７シグナリングを処理するように構成されている。モジュラデザインに基づいて、システムスケールはきわめて小さいものからハイエンドのコンフィグレーションケイパビリティまで可能となり、将来の広汎な展開も保証される。
【００１７】
ＯＡＭＰエージェント（オペレーション・アドミニストレーション・メンテナンス・プロヴィジョニングエージェント）１２６によりソフトスイッチのマネジメントケイパビリティが与えられる。このエージェントは後述するユーザインタフェースマネージャへのインタフェースを提供し、アラームおよびイベントの送信、データベースの保守およびシステムコンフィグレーションなどのタスクが完遂されるようにする。ＯＡＭＰエージェントはさらに料金データを郵便処理システムへ自動送信する付加的なインタフェースも有している。内部通信網１２８は内部通信を処理するがここでは詳細には立ち入らない。
【００１８】
動作中、ローカルソフトウェアスイッチは１つまたは複数の小さなＴＤＭクラス５オフィスまたはＴＤＭクラス４オフィスの機能を果たす。これによりＴＤＭコンポーネントは直接にアクセスされ、またソフトスイッチ１０４のサービスおよびケイパビリティへアクセスできる。ここでコストのかかるＥＷＳＤＲＳＵサイドドアトランクは必要ないことを付言しておく。ソフトスイッチ１０４とリモートのアクセスゲートウェイ１０６ａ〜１０６ｃとのあいだのインタフェースは標準のインタオフィストランク、例えばＡＣＰインタフェーストランクによって簡単化される。
【００１９】
１つの実施例では、ソフトスイッチは修正されたＳＵＲＰＡＳＳｈｉＱ９２００（ＴＭ）として構成される。ｈｉＱ９２００プラットフォームはＲ３のｈｉＱ９２００アーキテクチャに基づいている。本発明のソフトスイッチ１０４を使用するために、ｈｉＱ９２００はメディアコントロールプラットフォームＭＣＰおよびパケットマネージャ１２２を省略している。その結果ＥＷＳＤ／スマートリモートネットワークに比べて機能に幾らかの損失があるが、完全なＴＤＭインタフェースを用意することに対する安価な代替手段としては妥協できる。他の修正形態として、Ｃｅｎｔｒｅｘ、ＥＫＴＳ、Ｂｒｉｄｇｅｄサービス、ＧＲ３０３インタフェース、ＭＬＨＧ、従来のＴｒｕｎｋＧｒｏｕｐなどの加入者機をソフトウェアにより制限して、これらがリモートのアクセスゲートウェイの境界にクロスしないようにすることが挙げられる。
【００２０】
この構成によれば、ｈｉＱ９２００はリモートアクセスゲートウェイを制御する機能を担当することになり、ｈｉＱ９２００環境における加入者機のラインアクセスが行われる。こうした制御により、リモートアクセスゲートウェイを介してネットワークへ接続された加入者機はｈｉＱ９２００上で利用可能であるとして設定された同じクラス５フィーチャへアクセスできる。ローカルソフトウェアスイッチはＳｉｅｍｅｎｓ社のアクセスコントロールプロトコルＡＣＰ（ＴＭ）を使用し、ネットワークのリモートアクセスゲートウェイに対する呼制御およびフィーチャ制御を行う。１つのｈｉＱ９２００は１４個までのリモートアクセスゲートウェイを制御できるが、これはもちろん拡張可能である。ＡＣＰはＤＳ１ファシリティを介してｈｉＱ９２００とＳＬＳＳリモートアクセスゲートウェイとのあいだでやり取りされる。
【００２１】
現行の技術では、ローカルソフトウェアスイッチとリモートアクセスゲートウェイとは３０００マイルまでひき離すことができる。ｈｉＱとリモートアクセスゲートウェイとのあいだの通信リンクは、リモートアクセスゲートウェイのＲＳＵＣに対する帯域２×６４Ｋｂｐｓ（２ＤＳ０）に相応に、ＬＴＧ当たりおおよそ２×６４Ｋｂｐｓ（２ＤＳ０）の帯域を必要とする。リモートアクセスゲートウェイ間のＴ１ファシリティは共有されない。
【００２２】
ローカルソフトウェアスイッチまたは“ＴＤＭソフトスイッチ”はＩＯＣ市場（Independent Operating Companies）での要求を満足する。アイデアの主要部分は“次世代ソフトスイッチ技術”をＩＯＣ市場のＴＤＭセクタへ持ち込み、ＴＤＭレガシーシステムとの統合要求に応えようとすることである。新しいＮＧＮスイッチプロバイダによれば、ポートコスト当たりのポート密度が高くフットプリントの小さいＩＰ、ＡＴＭおよびＴＤＭの統合システムが提供される。
【００２３】
本発明のアイデアは２重になっている。その第１は次世代ソフトスイッチの手法をレガシーＴＤＭネットワークのインフラストラクチャへ適合させるコンセプトが、ホスト／リモートネットワークアーキテクチャを志向し、次世代ソリューションへの移行を適切な時期に行おうとしているより大きなＩＯＣのネットワークに対してきわめて意義深い新たなアプローチであるということである。第２には暫定ファイリングのコンセプトの提案がＴＤＭインフラストラクチャでのホスト／リモートネットワークアーキテクチャにおいて特段の先進性を有するということである。ＴＤＭからＩＯＣ市場でのパケットへの移行が予測されていたよりも緩慢であるので、この新しいアプローチは移行ストラテジを成功させる最良のきっかけとなるであろう。またこれはＮＧＮの先行技術の展開をも許容する。
【００２４】
前述したように、スイッチはｈｉＱ９２００からの派生物である。この手段にはパケットトラフィックが存在しないので、ｈｉＱ９２００メディアコントロールプロセッサＭＣＰやパケットマネージャは必要ない。ｈｉＱ９２００に残っているのは、内部ＬＡＮのインフラストラクチャを除けば、ＳＳＮＣＳＳ７、ＣＰ１１３ＥベースのネットワークコントロールプロセッサＮＣＰ、およびリモートアクセスゲートウェイとの通信に基づいてメッセージを制御するホスト‐リモートインタフェースプロセッサＩＰである。ホストとリモートとのあいだのベアラトラフィックは存在しない。リモートアクセスゲートウェイをインタコネクトするサイドドアトランクをサポートする必要はない。ソフトスイッチはスイッチングおよびタンデム手段を提供しなくてよく、これは全てのＴＤＭスイッチングおよびネットワーキングがリモートアクセスゲートウェイ内の限定されたタイムスロットインタチェンジＴＳＩのスイッチングマトリクスを介して処理されることを意味する。これによりホストソリューションに基づく従来のＥＷＳＤに比べてネットワーク容量が制限され、ＴＤＭへの直接接続が可能となる。
【００２５】
ＴＤＭソフトスイッチソリューションは本質的にＥＷＳＤスイッチングシステムで知られているのと同じローバストかつ信頼性の高いＴＤＭインタフェースおよびケイパビリティをサポートしている。このソリューションはＩＯＣのレガシーネットワークおよびこれより低次のＯＰＥＸの大部分を置換または統合することができる。その主たる利点は、統合されたＴＤＭネットワークソリューションをソフトスイッチおよびアクセスゲートウェイへの僅かな追加およびＱｏＳパケットベースのコアネットワークの導入のみでパケットインフラストラクチャへアップグレードできるということである。これによりＩＰベースのサービスを形成する新たな収益導入の可能性も開かれる。
【００２６】
図２Ａには図１Ａの１０６ａに相応するリモートアクセスゲートウェイ２００が詳細に示されている。リモートインタフェースＲＴＩ２０２は複数のハードウェアコンポーネントから成り、これらが協働してタイムスロットスイッチング機能および制御機能を果たす。ＲＴＩは２つの外部インタフェース、すなわちライントランクグループＬＴＧ２０４ａ〜２０４ｃへのインタフェースとネットワークへのインタフェースとを有する。ＬＴＧへのインタフェースは、スピーチをトランスポートする８ＭｂｐｓＳＤＣコネクションと、ＬＴＧメッセージチャネルＨＤＬＣを用いて制御情報をトランスポートするシングルタイムスロットとから成る。ネットワークへのインタフェースは、ｈｉＧ２０００へスピーチをトランスポートするかまたはＬＡＰＤを介して制御情報をｈｉＱへトランスポートするＰＣＭスパンから成る。
【００２７】
ＲＴＩはリモートスイッチングユニットコントローラを含む複数のコンポーネントを有している。ＲＳＵＣは基本的にはプロセッサ、例えば修正されたＩｎｔｅｌ４８６ベースのプロセッサボードおよび付加的なＬＡＰＤ通信ハードウェアである。ＲＳＵＣの主機能は他のＲＴＩコンポーネントを管理することである。さらにメンテナンスおよび呼のスイッチングのためにスイッチのネットワークサービスプラットフォームＮＳＰとのインタフェースが提供される。またＲＳＵＣはスイッチへのＬＴＧ通信およびＲＴＩ通信を管理し、スタンドアロンサービスモードで呼をルーティングする。メッセージハンドラはリモートスイッチングユニットコントローラと同様のハードウェアプラットフォームを用いており、ＬＴＧＨＤＬＣインタフェースとスイッチアクセスゲートウェイのＬＡＰＤインタフェースとのあいだをブリッジする。このメッセージハンドラはＨＤＬＣおよびＬＡＰＤに対するレイヤ２機能を実行し、ＲＴＩ内のＬＴＧとスイッチとのあいだでメッセージを適切にルーティングする。タイムスロットインタチェンジＴＳＩのマトリクスはタイムスロットの所定対のあいだの物理的なスイッチングケイパビリティを提供する。
【００２８】
マルチプレクサＭ１／３Ｍｕｘ２０８はＴＳＩマトリクスへのタイムスロットインタフェースを提供する。これによりＲＴＩコンポーネントがマルチプレクサへ接続され、さらにＴＳＩマトリクスへ接続されることになるので有利である。こうして種々のコンポーネントおよびスピーチハイウェイのインタコネクションが簡単化される。付加的なコンポーネント（メッセージハンドラ、ネットワークへのＰＣＭ接続を可能にするディジタルインタフェースユニットＤＩＵなど）が加えられる場合にはマルチプレクサも追加される。
【００２９】
ライントランクグループＬＴＧ２０４ａ〜２０４ｃはライン‐トランクインタフェースを提供するＥＷＳＤ規格では周知の既存コンポーネントである。各ＬＴＧはＤＬＵ、ＧＲ‐３０３または加入者線に対するＯｎｅ‐Ｕｐインタフェースをサポートしている。ＭＦトランク、ＳＳ７トランクまたはＰＲＩリンクもサポートされる。
【００３０】
ディジタルラインユニットＤＬＵ２０６は加入者線に対する物理接続を可能にする既存のＥＷＳＤコンポーネントである。ＤＬＵはｈｉＡとともに配置されるか、リモート位置に配置される。ＳＬＣ９６を用いたＤＬＵからのリモートアクセスもサポートされる。パケットハブを用いてＤＳＬアクセスを行うため、さまざまな形態のＤＬＵを使用することができる。
【００３１】
メディアゲートウェイＭＧ２１０はアクセスゲートウェイに由来するスピーチトランクをＴＤＭからＡＴＭへ変換する。標準のＡＴＭメディアゲートウェイはＤＳ３入力側とＡＴＭ出力側とを有する。メディアゲートウェイＭＧはその制御のために周知のＭＥＧＡＣＯプロトコルをサポートしている。
【００３２】
マルチプレクサＭ１／３Ｍｕｘ２０８はＲＴＩからＭＧ２１０のＤＳ３インタフェースへＰＣＭ２４インタフェースを集約するために使用される。標準のＭ１／３Ｍｕｘであればどんなものでもこの機能に使用することができる。
【００３３】
ＡＴＭエッジスイッチ２１２はリモートアクセスゲートウェイとＡＴＭネットワークとのあいだの接続を行う。このスイッチは標準のＡＴＭトランスポートおよびＲＴＩＬＡＰＤ通信チャネルのスイッチへのトランスポートに対するサーキットエミュレーションサービスとを行う。
【００３４】
動作中、リモートインタフェース（リモートタイムスロットインタチェンジ）ＲＴＩ２０２はベアラおよび／または制御チャネルＢ＋Ｃを介して一連のライントランクグループＬＴＧ２０４ａ〜２０４ｃへ接続される。ＲＴＩは複数のハードウェアコンポーネントから成り、これらが協働してタイムスロットインタチェンジのスイッチング機能および制御機能を果たす。ＲＴＩは２つの外部インタフェース、すなわちＬＴＧへのインタフェースおよびネットワークへのインタフェースを有する。
【００３５】
ＬＴＧへのインタフェースは、スピーチをトランスポートするＳＤＣコネクションと、ＬＴＧメッセージチャネルＨＤＬＣを用いて制御情報をトランスポートするシングルタイムスロットとから成る。リモートアクセスゲートウェイ２００に由来する呼は同じスマートリモート内でラインまたはトランクの目的地へＲＴＩおよび図示しない関連のＴＳＩマトリクスを介してスイッチングされる。ライントランクグループＬＴＧ２０４ａ〜２０４ｃは種々のタイプの加入者機に接続される。こうした加入者機にはＰＯＴＳ、ｘＤＳＬ（ＵＤＳＬ，ＡＤＳＬ，ＳＤＳＬ），Ｃｏｉｎ，ＩＳＤＮＢＲＩ，ＩＳＤＮＰＲＩ，ＭＦトランク，ＳＳ７トランクおよびＴＲ８／ＧＲ３０３インタフェースが含まれる。
【００３６】
図２Ｂにはリモートアクセスゲートウェイ２００と外界とのインタラクションが詳細に示されている。ここでは図２Ａに則して既に説明したエレメントには同じ参照番号を付してある。リモートアクセスゲートウェイのサイトではラインの終端はディジタルラインユニットＤＬＵ２０６またはアクセスプラットフォーム２１４のいずれかの手段で行われることを付言しておく。アクセスプラットフォームは既存の銅電話線を利用した狭帯域の電話およびブロードバンドサービスを提供する。アクセスプラットフォーム２１４は外部のＤＳＬ２１６へのｘＤＳＬアクセスを行い、外部のＤＳＬは全体がＤＳＬＡＭとして動作するか、またはラインアクセスユニットと統合ＤＳＬＡＭケイパビリティとの結合ユニットとして動作する。ＤＬＵはノーテストトランクインタフェースを介したメタリックテストアクセス、ＡＬＥＸモジュールを介した外部アラーム入力、およびボードツーボードテストを行う。
【００３７】
ＲＴＩ２０２は制御チャネルを介してＴＤＭネットワーク２１８へ接続される。リモートアクセスゲートウェイ２００は自蔵ＴＤＭスイッチとして機能するので、ここにはリモートのあいだのサイドドアトランクやインタオフィストランクによって行われるこれらのあいだのコネクションは存在しない。呼処理機能は（ａ）同じスイッチによって制御される２つのリモートのあいだの呼、（ｂ）異なるスイッチによって制御される２つのスマートリモートのあいだの呼、および（ｃ）スマートリモートと標準のローカルＴＤＭスイッチとのあいだの呼と同一である。
【００３８】
リモートアクセスゲートウェイは地域内のスイッチに対するプレゼンスポイントである。これによりＤＳＬトラフィックを含む既存の全てのタイプのＴＤＭコネクションと、呼制御ポイントすなわちスイッチから物理的に離れた位置でクロスコネクトされるＡＴＭトランクとが許容される。レガシーＴＤＭファシリティのサポートに加えて、リモートアクセスゲートウェイはＡＴＭネットワークへの直接接続およびＡＴＭデータコンセントレーションのファシリティも可能にする。
【００３９】
実際にはリモートアクセスゲートウェイおよびその広汎なコネクションケイパビリティは既存のＥＷＤＳＲＳＵ、ＳＵＲＰＡＳＳｈｉＧおよびＸｐｒｅｓｓＰａｓｓ１４０／１４４に基づいている。これらはともにリモートアクセスゲートウェイを形成する。スイッチとリモート位置とのあいだでＡＣＰメッセージをトランスポートする新たな手法が本発明により導入される。つまり呼処理交換はリモートアクセスゲートウェイ内の呼およびＴＤＭ−ＡＴＭインタワーキングの双方のために行われ、これによりＡＴＭネットワークへの発呼およびＡＴＭネットワークからの受呼がリモートアクセスゲートウェイ内で可能となる。
【００４０】
実験から判明したことであるが、リモートアクセスゲートウェイは７０個のＬＴＧをサポートでき、ＲＳＵにおけるのと同様に、ＴＳＩマトリクスの大きさに依存して、１４個までのリモートが１つのスイッチで制御される。スイッチとリモートとのあいだは３０００マイルまでひき離すことができる。加入者機のなかにはＣｅｎｔｒｅｘ、ＥＫＴＳ、Ｂｒｉｄｇｅｄサービス、ＧＲ３０３インタフェース、ＭＬＨＧおよび従来のＴｒｕｎｋＧｒｏｕｐ（ＭＧおよびＭＧＣＣを除く）などリモートアクセスゲートウェイの境界へクロスしないよう制限しなければならないものもあるが、各リモートは２５０００個の加入者機をサポートする。
【００４１】
スイッチはネットワークマネージャ２２０としてこの技術分野で知られているユーザインタフェースによってサポートされている。クライアントはＷｉｎｄｏｗｓまたはＵＮＩＸのいずれであってもよい。マネージャはスイッチをサポートし、人‐機械言語ＭＭＬおよびＱ３ベースのインタフェースとなる。マネージャは全てのＦＣＡＰＳ機能を提供する。
【００４２】
図２Ｂに示されているように、スイッチ２２２はインタフェースプロセッサＩＰ２２４を含む。リモート位置のＲＴＩおよびＬＴＧはスイッチ２２２への通信チャネルを要求する。ここではＥＷＳＤスイッチの場合とは異なり、２つの位置間のＴＤＭリンクは必要ない。またスイッチでの物理ＨＴＩも要さない。したがって本発明により、ＡＣＰのＮＳＰ‐ＬＴＧメッセージのトランスポートに対して新たに安全なメカニズムが送出される。スイッチサイトに位置する新たなＩＰはこのメッセージのトランスポートの管理および制御のために用いられる。
【００４３】
ＩＰ２２４はホストＬＡＮ、ここではＴＤＭ２１８へ付加される。ここで各プロセッサはイーサネットボードを介してＬＡＮの一方側へ、Ｔ１カードを介してＭｕｘへ付加され、さらにルータおよびＡＴＭネットワークへ付加される。これによりＬＡＮと外部のリモートネットワークとのあいだがブリッジされる。ＩＰは対になっており、その一方は他方から分離されて動作し、対のプロセッサのあいだではメッセージは交換されない。またそれぞれ物理的にｈｉＡに位置する割り当てられたＬＴＧへのアクティブなＭＣＨのセットを処理する。ＩＣＣはＬＡＮ上の他のプロセッサへ送るのと同様に、ＭＡＣアドレスを介してメッセージをＩＰおよびそのＬＴＧへルーティングする。
【００４４】
ＩＰ２２４の第１の機能はプロトコル変換を実行し、正しい物理コネクションおよび論理コネクションへＡＣＰメッセージをマッピングすることである。これはマッピングテーブルに含まれるデータを使用して行われる。その目的はＩＰの固定コンフィグレーションを取得し、これをＬＴＧ／ＲＴＩチャネルのＭｕｘポートへのマッピングに用いることである。図示されているように、高速リンクＨＳＬはリモートアクセスゲートウェイとの通信においてはスイッチホストからは利用されない。アーキテクチャを簡単化するために、各ＬＴＧおよびＲＴＩＭＣＨは個別にトランスポートされる。
【００４５】
ＢＯＯＴＰを用いて、ディスクレスワークステーションに自身のＩＰアドレスを発見させることのできるインタネットプロトコルと、ネットワーク上のＢＯＯＴＰサーバのＩＰアドレスと、マシンをブートするためにメモリへロードすべきファイルとが捕捉される。これによりワークステーションはハードディスクドライブまたはフロッピーディスクドライブなしにブートすることができる。このプロトコルはＩＥＴＦＲＣ９５１と定義される。このようにしてＩＰはそのＩＰアドレスを発見する。ＩＰはｃＰＣＩバス上で再生されたＩＣＣによりＬｉｎｕｘＯＳを用いて提供される。
【００４６】
次に図３Ａ〜図３Ｃに則して、レガシーデバイスに対するＴＤＭトランクの選択手段を考察する。ＴＤＭトランクインタフェースの使用を続行するレガシーデバイスにとっては、インタフェースを得るための２つの選択手段が存在する。すなわちコロケイテッドイクイプメントに対するＴＤＭトランクとＴＤＭファシリティを介したセントラルリソースに対するＴＤＭトランクとである。図３Ａに示されている第１の選択手段では、先行図の実施例と同様にリモートアクセスゲートウェイ３００が設けられ、前述したのと同様なＲＴＩ３０２、ＬＴＧ３０４ａ〜３０４ｃおよびＴＤＭＰＳＴＮネットワーク３０６へのコネクションが存在する。
【００４７】
さらに、図３ＡにはコロケイテッドイクイプメントへのＴＤＭトランクに使用される本発明が示されている。各リモートアクセスゲートウェイは自身のボイスメールサーバ（ＶＭＳ）３０８、アナウンスメントサーバ（Ａｎｎ）３１０およびＣＡＬＥＡサーバ（ＣＡＬＥＡ）３１２を有する。これらのデバイスは全て残りのリモートアクセスゲートウェイの装置と物理的に同じ空間に配置される。リモートオフィステストラインＲＯＴＬ３１４により自動トランクテストが行われる。スイッチ３１６はここではＴ１ラインを介してリモート３００に接続され、ＳＭＤＩリンクを介してＶＭＳ３０８に接続され、さらにＩＰによるＲＯＴＬを介してＲＯＴＬ３１４に接続される。
【００４８】
図３Ｂに示されている第２の選択手段はＴＤＭファシリティを介したセントラルリソースへのＴＤＭトランクである。このシナリオでは各リモートアクセスゲートウェイはＴＤＭネットワークを介して中央位置のボイスメールサーバ３１８、アナウンスメントサーバ３２０およびＣＡＬＥＡサーバ３２２へトランクされる。これらのデバイスは全て物理的に同じ空間（典型的にはリモートサイト）または別個の物理サイトに配置される。またＲＯＴＬＳＳ７およびＲＯＴＬ制御ユニット３２４は図示のようにトランクされる。
【００４９】
ＣＡＬＥＡサーバ３２２は周知のＣＡＬＥＡ規格にしたがった法定インタセプションを可能にする。そのためにこのフィーチャはＣＡＬＥＡケイパビリティのソフトウェアをスイッチへ移す。フィーチャはＣＡＬＥＡ専用の呼処理論理回路を修正し、インタセプトサブジェクト受信路に対する呼内容のインタセプトアクセスポイントをスイッチングネットワークＳＮからリモートアクセスゲートウェイのＲＴＩへ移動させる。この変更はＳＮモジュールがスイッチアーキテクチャの一部でない場合に行われる。またフィーチャは設計フェーズおよび分析フェーズ中に形成されたＥＷＳＤリリース１８．０の変更をローカルソフトウェアスイッチのソフトウェア環境へそのまま移す。さらにフィーチャは利用可能なＣＡＬＥＡケイパビリティがＪ‐ＳＴＤ０２５スペックに一致するよう検査（実験検査）する。
【００５０】
図３Ｃにはスイッチとリモートアクセスゲートウェイとのインタラクションが詳細に示されている。ここからはスイッチ内およびスイッチとリモートアクセスゲートウェイとのあいだに存在する新たな通信インタフェースが見てとれる。イーサネットＬＡＮインタフェース３２６はＩＣＣとＩＰとのあいだに設けられる。ＬＡＰＤインタフェース３２８はＩＰとＲＴＩとのあいだに設けられ、ＭＥＧＡＣＯインタフェース３３０，３３４はＰＭとＭＧとのあいだに設けられる。ここでＭＥＧＡＣＯインタフェース３３４は図１ＢのパケットマネージャＰＭとＭＧとのあいだに設けられるのである。ＨＤＬＣインタフェース３３６はＲＴＩとＬＴＧとのあいだに設けられる。図中には冗長ＩＰ、冗長ＩＣＣおよび冗長ＲＴＩも示されている。
【００５１】
以下に種々のスイッチとアクセスゲートウェイのコンポーネントとの通信を行うインタフェースの動作を説明する。ＩＰ３３２は前述のようにスイッチＬＡＮの新たなユニットである。ＩＰ３３２への通信は既存のスイッチプロトコルを介してイーサネットインタフェース３２６により行われる。ＩＰにはＬＡＮ上の他のユニット（例えばＰＭまたはＭＣＰ）からの区別のために固有のＭＡＣアドレスが割り当てられる。この実施例のＩＰはＭＣＰマルチキャストＭＡＣアドレスを共有しており、ＩＣＣ３３８によって供給される機能のＬＡＮモニタリングに参加できる。ＩＰにはさらに新たなプロセッサ番号およびＭＢＵ／ＭＣＨ値が割り当てられ、ＮＳＰ３４０からアドレス可能となる。ＩＣＣ３３８はこのＭＢＵ／ＭＣＨ値を有するメッセージをＩＰ３３２へルーティングする。ＩＰ３３２からＮＳＰ３４０へのレスポンスもＩＣＣ３３８により処理され、ＮＳＰ３４０へ転送される。
【００５２】
スイッチ３１６からＲＴＩ３０２への通信を考える。まずイーサネット３２６を介してＩＰ３３２へ、ＩＰ３３２からＬＡＰＤ３２８、さらに専用ＤＳ０によりＡＴＭエッジスイッチ３４２へ通信される。ＬＡＰＤ３２８からＡＴＭのサーキットエミュレーションサービスによりスイッチ３１６内のＡＴＭエッジスイッチ３４２とリモートアクセスゲートウェイのエッジスイッチ３４４とのあいだで通信が行われる。次に再びＬＡＰＤ３２８を介してリモートアクセスゲートウェイ３００のエッジスイッチ３４４から専用のＤＳ０によりＲＴＩへ通信が行われる。ＬＡＰＤチャネルはＡＴＭエッジスイッチによって終端されないが、その代わりに相応のＤＳ０がネットワークを介してＡＴＭ上をトランスポートされる。
【００５３】
各ＬＴＧ３０４ａ〜３０４ｃには２つのメッセージチャネルが割り当てられており、一方はサイド０、他方はサイド１である。２つのチャネルはＮＳＰ３４０によってＬＴＧ３０４ａ〜３０４ｃと通信するために用いられる。物理的にはこれらのチャネルはＲＴＩ３０２で終端し、ＨＤＬＣ３３６を用いてメッセージをＲＴＩとＬＴＧとのあいだでやり取りする。
【００５４】
次にＬＴＧとの通信について考察する。まずイーサネット３２６を介してＩＰへ、そこからＬＡＰＤ３２８を介して専用のＤＳ０によりＡＴＭエッジスイッチ３４２へ通信が行われる。ＬＡＰＤからＡＴＭのサーキットエミュレーションサービスにより、スイッチ３１６内のＡＴＭエッジスイッチ３４２とリモートアクセスゲートウェイ３００内のエッジスイッチ３４４とのあいだで通信が行われる。次に再びＬＡＰＤを介してエッジスイッチ３４４からＲＴＩ３０２へ専用ＤＳ０により通信が行われる。さらにＨＤＬＣを介してＲＴＩ３０２とＬＴＧ３０４ａ〜３０４ｃとのあいだの通信が行われる。
【００５５】
本発明によれば、ＴＤＭネットワークのアクセスおよび直接制御が達成され、ＩＰネットワークのサービスおよびケイパビリティがＴＤＭネットワークへ移行される。
【図面の簡単な説明】
【００５６】
【図１Ａ】本発明のシステムを示す図である。
【図１Ｂ】本発明のスイッチを示す図である。
【図２Ａ】本発明のアクセスゲートウェイを示す図である。
【図２Ｂ】動作中のアクセスゲートウェイを示す図である。
【図３Ａ】本発明のリモートアクセスゲートウェイの動作を示す図である。
【図３Ｂ】本発明のリモートスイッチの動作を示す図である。
【図３Ｃ】本発明のリモートスイッチおよびリモートアクセスゲートウェイのシグナリングを示す図である。
【図１Ａ】
2006517755.tif 000003
【図１Ｂ】
2006517755.tif 000004
【図２Ａ】
2006517755.tif 000005
【図２Ｂ】
2006517755.tif 000006
【図３Ａ】
2006517755.tif 000007
【図３Ｂ】
2006517755.tif 000008
【図３Ｃ】
2006517755.tif 000009
【手続補正書】
【提出日】平成17年4月14日(2005.4.14)
【手続補正１】
【補正対象書類名】特許請求の範囲
【補正対象項目名】全文
【補正方法】変更
【補正の内容】
【特許請求の範囲】
【請求項１】
非ＴＤＭネットワークでの通信を有効化する種々のコンポーネントを制御するように構成された非ＴＤＭネットワーク専属のスイッチと、ＴＤＭネットワークへのコネクションを有し、かつスイッチからリモート位置にあるアクセスゲートウェイと、記憶されたマッピングテーブルを用いたプロトコル変換によりイーサネットおよびＬＡＰＤ間の通信適合化を行うスイッチ内のプロセッサと、スイッチおよびアクセスゲートウェイ間の通信チャネル、すなわちＴＤＭネットワークおよびスイッチ間のＴＤＭリンクの必要性を除去するチャネルとが設けられており、
スイッチはアクセスゲートウェイのコネクションを介してＴＤＭネットワークへアクセスする
ことを特徴とするＴＤＭネットワークへの接続、ＩＰアクセスおよびサービスを行うリモートスイッチ。
【請求項２】
前記スイッチは非ＴＤＭネットワークのコールサービスおよびケイパビリティを提供する、請求項１記載のスイッチ。
【請求項３】
前記スイッチはＩＰスイッチである、請求項１記載のスイッチ。
【請求項４】
前記プロセッサはＮＳＰ‐ＬＴＧメッセージのトランスポートを管理する、請求項１記載のスイッチ。
【請求項５】
前記アクセスゲートウェイは少なくとも１つのＬＴＧを含む、請求項１記載のスイッチ。
【請求項６】
前記アクセスゲートウェイはＲＴＩを含む、請求項１記載のスイッチ。
【請求項７】
前記アクセスゲートウェイはＤＬＵを含む、請求項１記載のスイッチ。
【請求項８】
さらにユーザとスイッチとをつなぐユーザインタフェースを含む、請求項１記載のスイッチ。
【請求項９】
さらに呼のインタセプトおよび法律促進オペレータへの呼の転送を行う法定インタセプトプロセッサを含む、請求項１記載のスイッチ。
【請求項１０】
非ＴＤＭネットワークでの通信を有効化する種々のコンポーネントを、スイッチを介して制御し、
該スイッチに対してリモート位置にあるアクセスゲートウェイのコネクションを介してＴＤＭネットワークへアクセスし、
記憶されたマッピングテーブルを用いたプロトコル変換によりイーサネットとＬＡＰＤとのあいだで通信適合化を行い、
ＴＤＭネットワークとスイッチとのあいだのＴＤＭリンクの必要性を除去する通信チャネルを介してスイッチとアクセスゲートウェイとを接続し、
スイッチによりアクセスゲートウェイのコネクションを介してＴＤＭネットワークへアクセスする
ことを特徴とするＴＤＭネットワークへのコネクション、ＩＰアクセスおよびサービスを行う方法。
【請求項１１】
さらに非ＴＤＭネットワークのコールサービスおよびケイパビリティを提供する、請求項１０記載の方法。
【請求項１２】
前記スイッチはＩＰスイッチである、請求項１０記載の方法。
【請求項１３】
さらにＮＳＰ‐ＬＴＧメッセージのトランスポートを管理する、請求項１０記載の方法。
【請求項１４】
さらにユーザとスイッチとをつなぐインタフェースを設ける、請求項１０記載の方法。
【請求項１５】
さらに呼のインタセプトと法律促進オペレータへの呼の転送とを行う、請求項１０記載の方法。
【国際調査報告】
2006517755.tif 000010